(57)【要約】【課題】  従来からある骨模型では、筋の起始停止の場所と靭帯を、貼ったり、外したりすることのできる物で貼り付けることができ、何度も繰り返し貼り付け、取外し筋が伸縮する人体模型すなわち本発明の骨模型は、靭帯と筋を綿ファスナーや磁石などによって、取付け取外しのできるもので、筋と靭帯、関節包を貼り付けられ、筋が伸縮し稼働する人体模型で、誰でも気軽に知ることができる人体模型であって、骨、靭帯、関節包、筋、各パーツの連携した動作によって稼動する人体模型を提供することを目的とする。【解決手段】  本発明の人体模型は、骨、筋、関節包、靭帯、取付け部材を備えた人体模型であって、各パーツが取付け取外しが可能であることを特徴とする人体模型。【選択図】図１
2016114881.tif 000002
【特許請求の範囲】
【請求項１】
取外し可能な動物模型であって、骨（１２０）とパーツ（Ｐ）を備え、前記骨（１２０）とパーツ（Ｐ）が取付け取外しが可能となる脱着手段（４０６）を備えていることを特徴とする動物模型。
【請求項２】
前記動物模型が人体模型（１００）であることを特徴とする請求項１に記載の人体模型。
【請求項３】
前記パーツ（Ｐ）には、筋（２００）、腱（４０５）、関節包（３０１）、靭帯（３１０）の少なくとも一つが含まれることを特徴とする請求項２に記載の人体模型。
【請求項４】
前記骨（１２０）の固定手段（４０７）は、磁石（Ｊ）、鋼線（Ｋ）であり、該磁石（Ｊ）および鋼線（Ｋ）の少なくともいずれかを用いて取付けたことを特徴とする請求項２又は３に記載の人体模型。
【請求項５】
前記人体模型（１００）に用いられるパーツ（Ｐ）としての筋（２００）及び腱（４０５）が伸縮性素材（Ｃ２）からなり、関節包（３０１）および靭帯（３１０）が非伸縮性素材（Ｃ１）からなることを特徴とする請求項２〜４のいずれか一項に記載の人体模型。
【請求項６】
前記脱着手段（４０６）が腱（４０５）に設けられた伸縮性面ファスナーフック部（４１０）と、骨（１２０）又は、靭帯（３１０）に設けられた非伸縮性面ファスナーループ部（４２０）との組み合わせであって、骨（１２０）又は、靭帯（３１０）に非伸縮性面ファスナーループ部（４２０）が設けられており、腱（４０５）に、前記伸縮性面ファスナーフック部（４１０）が設けられていることを特徴とする請求項２〜５のいずれか一項に記載の人体模型。
【請求項７】
前記脱着手段（４０６）が靭帯（３１０）、関節包（３０１）に設けられた非伸縮性面ファスナーフック部（４３０）と、骨（１２０）に設けられた非伸縮性面ファスナーループ部（４２０）との組み合わせ、又は、靭帯（３１０）に設けられた非伸縮性面ファスナーフック部（４３０）と、関節包（３０１）に設けられた非伸縮性面ファスナーループ部（４２０）との組み合わせであることを特徴とする請求項２〜６のいずれか一項に記載の人体模型。
【請求項８】
前記伸縮性面ファスナーフック部（４１０）は、伸縮性ベース（Ｂ２）を基材とし該基材にフック部（Ｆ）を設けた伸縮性面ファスナーフック部（４１０）からなり、該伸縮性ベース（Ｂ２）は、伸縮性を有する弾性シートであり、伸縮性面ファスナーフック部（４１０）の伸び率が最大１０％であることを特徴とする請求項２〜７のいずれか一項に記載の人体模型。
【請求項９】
前記脱着手段（４０６）は、伸縮性を有する弾性シートからなる伸縮性ベース（Ｂ２）を基材とし、該基材にフック部Ｆを設けた伸縮性面ファスナーフック部（４１０）と、非伸縮性を有するシートからなる非伸縮性ベース（Ｂ１）を基材とし、該基材にループ部（Ｒ）を設けた非伸縮性面ファスナーループ部（４２０）の組み合わせ、又は、非伸縮性を有するシートからなる非伸縮性ベース（Ｂ１）を基材とし、該基材にフック部（Ｆ）を設けた非伸縮性面ファスナーフック部（４３０）と、非伸縮性を有するシートからなる非伸縮性ベース（Ｂ１）を基材とし該基材にループ部（Ｒ）を設けた非伸縮性面ファスナーループ部（４２０）との組み合わせであることを特徴とする請求項２〜８のいずれか一項に記載の人体模型。
【請求項１０】
前記脱着手段（４０６）としての伸縮性面ファスナーフック部（４１０）が筋（２００）にある腱（４０５）の一方の端部から矢尻形フック部（４０２）、キノコ形フック部（４０３）、カギ状フック部（４０４）の順に設けられており、前記伸縮性面ファスナーフック部（４１０）が筋（２００）にある腱（４０５）の他方の端部から矢尻形フック部（４０２）、キノコ形フック部（４０３）、カギ状フック部（４０４）の順で設けられており、骨（１２０）にループ部（Ｒ）を有する非伸縮性面ファスナーループ部（４２０）が設けられていることを特徴とする請求項２〜９のいずれか一項に記載の人体模型。
【請求項１１】
前記脱着手段（４０６）が関節包（３０１）に設けられた非伸縮性面ファスナーフック部（４３０）と、骨（１２０）に設けられた非伸縮性面ファスナーループ部（４２０）との組み合わせであることを特徴とする請求項２〜１０のいずれか一項に記載の人体模型。
【請求項１２】
前記脱着手段（４０６）が靭帯（３１０）に設けられた非伸縮性面ファスナーフック部（４３０）と、骨（１２０）に設けられた非伸縮性面ファスナーループ部（４２０）との組み合わせであることを特徴とする請求項２〜１１のいずれか一項に記載の人体模型。
【請求項１３】
前記脱着手段（４０６）としての非伸縮性面ファスナーフック部（４３０）が靭帯（３１０）又は、関節包（３０１）の一方の端部から矢尻形フック部（４０２）、キノコ形フック部（４０３）、カギ状フック部（４０４）の順に設けられており、前記非伸縮性面ファスナーフック部（４３０）が靭帯（３１０）又は、関節包（３０１）の他方の端部から矢尻形フック部（４０２）、キノコ形フック部（４０３）、カギ状フック部（４０４）の順で設けられており、骨（１２０）にループ部（Ｒ）を有する非伸縮性面ファスナーループ部（４２０）が設けられていることを特徴とする請求項２〜１２のいずれか一項に記載の人体模型。
【請求項１４】
前記脱着手段（４０６）としての非伸縮性面ファスナーフック部（４３０）が、面ファスナー矢尻形フック部の使用面（４３２）、面ファスナーキノコ形フック部の使用面（４３３）、面ファスナーカギ状フック部の使用面（４３４）それぞれの使用面積比率が、面ファスナー矢尻形フック部の使用面（４３２）が４０〜６０％、面ファスナーキノコ形フック部の使用面（４３３）が２０〜４０％、面ファスナーカギ状フック部の使用面（４３４）が１０〜３０％であることを特徴とする請求項２〜１３のいずれか一項に記載の人体模型。
【請求項１５】
前記脱着手段（４０６）が、面ファスナー付パーツ（Ｍ）による骨（１２０）と腱（４０５）の組み合わせ例（Ｍ１）であって、骨（１２０）と腱（４０５）を取り付ける場合、骨（１２０）には、ループ部（Ｒ）を有する非伸縮性面ファスナーループ部（４２０）が、設けられており、腱（４０５）に、フック部（Ｆ）を有する伸縮性面ファスナーフック部（４１０）がその端部に設けられていることを特徴とする請求項２〜１４のいずれか一項に記載の人体模型。
【請求項１６】
前記脱着手段（４０６）が、面ファスナー付パーツ（Ｍ）による骨（１２０）と靭帯（３１０）の組み合わせ例（Ｍ２）であって、骨（１２０）と靭帯（３１０）を取り付ける場合、骨（１２０）には、ループ部（Ｒ）を有する非伸縮性面ファスナーループ部（４２０）が、設けられており、靭帯（３１０）に、フック部（Ｆ）を有する非伸縮性面ファスナーフック部（４３０）がその端部に設けられていることを特徴とする請求項２〜１４のいずれか一項に記載の人体模型。
【請求項１７】
前記脱着手段（４０６）が、面ファスナー付パーツ（Ｍ）による骨（１２０）と関節包（３０１）の組み合わせ例（Ｍ３）であって、骨（１２０）と関節包（３０１）を取り付ける場合、骨（１２０）には、ループ部（Ｒ）を有する非伸縮性面ファスナーループ部（４２０）が、設けられており、関節包（３０１）に、フック部（Ｆ）を有する非伸縮性面ファスナーフック部（４３０）がその端部に設けられていることを特徴とする請求項２〜１４のいずれか一項に記載の人体模型。
【請求項１８】
前記脱着手段（４０６）が、面ファスナー付パーツ（Ｍ）による靭帯（３１０）と腱（４０５）の組み合わせ例（Ｍ４）であって、靭帯（３１０）と腱（４０５）を取り付ける場合、骨（１２０）に取り付けられていない外側の靭帯（３１０）にループ部（Ｒ）を有する非伸縮性面ファスナーループ部（４２０）が、設けられており、腱（４０５）には、フック部（Ｆ）を有する伸縮性面ファスナーフック部（４１０）がその端部に設けられていることを特徴とする請求項２〜１４のいずれか一項に記載の人体模型。
【請求項１９】
前記脱着手段（４０６）が、面ファスナー付パーツ（Ｍ）による関節包（３０１）と靭帯（３１０）の組み合わせ例（Ｍ５）であって、関節包（３０１）と靭帯（３１０）を取り付ける場合、骨（１２０）に取り付けられていない外側の関節包（３０１）にループ部（Ｒ）を有する非伸縮性面ファスナーループ部（４２０）が、設けられており、靭帯（３１０）には、フック部（Ｆ）を有する非伸縮性面ファスナーフック部（４３０）がその端部に設けられていることを特徴とする請求項２〜１４のいずれか一項に記載の人体模型。
【発明の詳細な説明】
【技術分野】
【０００１】
本発明は、動物模型に関する。
【背景技術】
【０００２】
従来からある動物模型では、筋の起始停止の場所と靭帯の形を示す物だった。
前記、筋の起始とは、筋が運動しても動かない方（支点）を指し、停止とは、筋が運動する時に動く方（作用点）を指し、筋の付いている部分の事をいう。
また、骨模型以外では、献体を見させていただくしかないが、医師や見られる環境にないかぎり見ることはできない。
骨、靭帯、関節包、筋などの各パーツの連携した動作をする動物模型はなかった。
【先行技術文献】
【特許文献】
【０００３】
【特許文献１】特開２００５―２１５４０９号公報
【特許文献２】特開２００６−３２３１０３号公報
【特許文献３】特開２００７−２７２１１５号公報
【特許文献４】特開２０１０−１１３０３２号公報
【発明の概要】
【発明が解決しようとする課題】
【０００４】
特開２００５―２１５４０９号公報は、骨模型で、靭帯や関節包、筋といった物は無く骨のみだった。
本発明の動物模型は、筋の起始停止の場所と靭帯、関節包を脱着させ、何度も繰り返し貼り付け取外し、筋が伸縮し、骨、靭帯、関節包、筋、各パーツの連携した動作によって稼働する動物模型を提供することを目的とする。
【０００５】
特開２００６−３２３１０３は、上腕骨の一部と肩甲骨、筋は棘上筋、棘下筋、小円筋、肩甲下筋しかない。
本発明の動物模型は、一部の筋だけでなく、深層筋や浅層筋を知ることができ、なおかつ伸縮性を備え、骨、靭帯、関節包、筋、各パーツの連携した動作によって稼働する動物模型を提供することを目的とする。
【０００６】
特開２００７−２７２１１５は、骨折の発生機序を見るためのもので、関節部は固定具と連結ピンなどで止めている。
本発明の動物模型は、靭帯や関節包、筋など脱着することができ、筋は伸縮性を備え、骨、靭帯、関節包、筋、各パーツの連携した動作によって稼働する動物模型を提供することを目的とする。
【０００７】
特開２０１０−１１３０３２は、上肢の一部分の筋しか対称にしていない、そのため腱や関節包などは付けることができない。
本発明の動物模型は、全身を対象とし、靭帯や関節包も脱着でき、筋も脱着することができ伸縮性も備え、骨、靭帯、関節包、筋、各パーツの連携した動作によって稼働する人体模型を提供することを目的とする。
【課題を解決するための手段】
【０００８】
本発明１の動物模型は、取外し可能な動物模型であって、骨とパーツを備え、前記骨とパーツが取付け取外しが可能となる脱着手段を備えていることを特徴とする。また、靭帯と筋を綿ファスナーや磁石などによって、取付け取外しのできるもので、筋と靭帯、関節包を貼り付けられ、筋が伸縮し稼働する人体模型で、誰でも気軽に知ることができる動物模型であって、骨、靭帯、関節包、筋、各パーツの連携した動作によって稼動することを特徴とする動物模型であり、上記課題を解決した。
【０００９】
上記動物模型は、取外し可能な動物模型であって、骨とパーツを備え、前記骨とパーツが取付け取外しが可能となる脱着手段を備えた動物模型であって、各パーツが取付け取外しが可能であることを特徴とする。
【００１０】
本発明２の人体模型は、前記発明１の動物模型において、前記動物模型が人体の模型であることを特徴とする。
【００１１】
本発明３の人体模型は、前記発明２の人体模型において、前記パーツには筋、腱、関節包、靭帯の少なくとも一つが含まれることを特徴とする。
【００１２】
本発明４の人体模型は、前記発明２又は３の人体模型において、前記骨の固定手段は、磁石、鋼線などで取付けることを特徴とする。
【００１３】
本発明５の人体模型は、前記発明２の人体模型において、前記人体模型は、筋が伸縮性素材からなることを特徴とすることを特徴とする。
【００１４】
本発明６の人体模型は、前記発明２〜５の人体模型において、脱着手段が腱に設けられた伸縮性面ファスナーフック部と、骨又は、靭帯に設けられた非伸縮性面ファスナーループ部との組み合わせであって、骨又は、靭帯に非伸縮性面ファスナーループ部が設けられており、腱に、前記伸縮性面ファスナーフック部が設けられていることを特徴とする。
【００１５】
本発明７の人体模型は、前記脱着手段が靭帯、関節包に設けられた非伸縮性面ファスナーフック部と、骨に設けられた非伸縮性面ファスナーループ部との組み合わせ、又は、靭帯に設けられた非伸縮性面ファスナーフック部と、関節包に設けられた非伸縮性面ファスナーループ部との組み合わせであることを特徴とする。
【００１６】
本発明８の人体模型は、前記伸縮性面ファスナーフック部は、伸縮性ベースを基材とし該基材にフック部を設けた伸縮性面ファスナーフック部からなり、該伸縮性ベースは、伸縮性を有する弾性シートであり、伸縮性面ファスナーフック部の伸び率が最大１０％であることを特徴とする。
【００１７】
本発明９の人体模型は、前記脱着手段は、伸縮性を有する弾性シートからなる伸縮性ベースを基材とし、該基材にフック部Ｆを設けた伸縮性面ファスナーフック部と、非伸縮性を有するシートからなる非伸縮性ベースを基材とし、該基材にループ部を設けた非伸縮性面ファスナーループ部の組み合わせ、又は、非伸縮性を有するシートからなる非伸縮性ベースを基材とし、該基材にフック部を設けた非伸縮性面ファスナーフック部と、非伸縮性を有するシートからなる非伸縮性ベースを基材とし該基材にループ部を設けた非伸縮性面ファスナーループ部との組み合わせであることを特徴とする。
【００１８】
本発明１０の人体模型は、前記脱着手段としての伸縮性面ファスナーフック部が筋にある腱の一方の端部から矢尻形フック部、キノコ形フック部、カギ状フック部の順に設けられており、前記伸縮性面ファスナーフック部が筋にある腱の他方の端部から矢尻形フック部、キノコ形フック部、カギ状フック部の順で設けられており、骨にループ部を有する非伸縮性面ファスナーループ部が設けられていることを特徴とする。
【００１９】
本発明１１の人体模型は、前記脱着手段が関節包に設けられた非伸縮性面ファスナーフック部と、骨に設けられた非伸縮性面ファスナーループ部との組み合わせであることを特徴とする。
【００２０】
本発明１２の人体模型は、前記脱着手段が靭帯に設けられた非伸縮性面ファスナーフック部と、骨に設けられた非伸縮性面ファスナーループ部との組み合わせであることを特徴とする。
【００２１】
本発明１３の人体模型は、前記脱着手段としての非伸縮性面ファスナーフック部が靭帯又は、関節包の一方の端部から矢尻形フック部、キノコ形フック部、カギ状フック部の順に設けられており、前記非伸縮性面ファスナーフック部が靭帯又は、関節包の他方の端部から矢尻形フック部、キノコ形フック部、カギ状フック部の順で設けられており、骨にループ部を有する非伸縮性面ファスナーループ部が設けられていることを特徴とする。
【００２２】
本発明１４の人体模型は、前記脱着手段としての非伸縮性面ファスナーフック部が、面ファスナー矢尻形フック部の使用面、面ファスナーキノコ形フック部の使用面、面ファスナーカギ状フック部の使用面それぞれの使用面積比率が、面ファスナー矢尻形フック部の使用面が４０〜６０％、面ファスナーキノコ形フック部の使用面が２０〜４０％、面ファスナーカギ状フック部の使用面が１０〜３０％であることを特徴とする。
【００２３】
本発明１５の人体模型は、前記脱着手段が、面ファスナー付パーツによる骨と腱の組み合わせ例（Ｍ１）であって、骨と腱を取り付ける場合、骨には、ループ部を有する非伸縮性面ファスナーループ部が、設けられており、腱に、フック部を有する伸縮性面ファスナーフック部がその端部に設けられていることを特徴とする。
【００２４】
本発明１６の人体模型は、前記脱着手段が、面ファスナー付パーツによる骨と靭帯の組み合わせ例（Ｍ２）であって、骨と靭帯を取り付ける場合、骨には、ループ部を有する非伸縮性面ファスナーループ部が、設けられており、靭帯に、フック部を有する非伸縮性面ファスナーフック部がその端部に設けられていることを特徴とする。
【００２５】
本発明１７の人体模型は、前記脱着手段が、面ファスナー付パーツによる骨と関節包の組み合わせ例（Ｍ３）であって、骨と関節包を取り付ける場合、骨には、ループ部を有する非伸縮性面ファスナーループ部が、設けられており、関節包に、フック部を有する非伸縮性面ファスナーフック部がその端部に設けられていることを特徴とする。
【００２６】
本発明１８の人体模型は、前記脱着手段が、面ファスナー付パーツによる靭帯と腱の組み合わせ例（Ｍ４）であって、靭帯と腱を取り付ける場合、骨に取り付けられていない外側の靭帯にループ部を有する非伸縮性面ファスナーループ部が、設けられており、腱には、フック部を有する伸縮性面ファスナーフック部がその端部に設けられていることを特徴とする。
【００２７】
本発明１９の人体模型は、前記脱着手段が、面ファスナー付パーツによる関節包と靭帯の組み合わせ例（Ｍ５）であって、関節包と靭帯を取り付ける場合、骨に取り付けられていない外側の関節包にループ部を有する非伸縮性面ファスナーループ部が、設けられており、靭帯には、フック部を有する非伸縮性面ファスナーフック部がその端部に設けられていることを特徴とする。
【発明の効果】
【００２８】
本発明１によれば、骨の位置や靭帯の走行、筋の起始停止を一つずつ貼りつけながら憶えられ、筋の部分が伸縮することにより屈曲、伸展、内転外転、内旋外旋時の筋の伸縮も見ることができ何度でも付け外しができ、骨、筋、腱、関節包、靭帯など各パーツの連携した動きや構造をしっかりと、理解することができるという効果がある。
本発明２によれば、前記動物模型が人体の模型である。したがって、各パーツの連携した動きを理解することが可能で、人体の整体学習にとって効果がある。
本発明３によれば、パーツには骨、筋、腱、関節包、靭帯の少なくとも一つが含まれているので、各パーツの相互の関係性や、連携した動きが明確となる効果がある。
本発明４によれば、骨の固定手段は、磁石、鋼線などで取付け、骨がバラバラにならないという効果がある。
本発明５によれば、人体模型は、筋が伸縮性素材からなり、屈曲、伸展などができ関節に関節包および靭帯が有る事により過度な角度に持って行くには、力が必要以上にいるため必要以上に曲げないという事が分かるという効果がある。
本発明６によれば、人体模型において、脱着手段が腱に設けられた伸縮性面ファスナーフック部と、骨又は、靭帯に設けられた非伸縮性面ファスナーループ部との組み合わせであって、骨又は、靭帯に非伸縮性面ファスナーループ部が設けられており、腱に、伸縮性面ファスナーフック部が設けられている、これにより腱を付ける部位が分かりやすく、骨と腱、靭帯と腱の連携した動きについて理解しやすいという効果がある。
本発明７によれば、脱着手段が靭帯、関節包に設けられた非伸縮性面ファスナーフック部と、骨に設けられた非伸縮性面ファスナーループ部との組み合わせ、又は、靭帯に設けられた非伸縮性面ファスナーフック部と、関節包に設けられた非伸縮性面ファスナーループ部との組み合わせとの組合せで、付ける方向が一定で分かりやすく、骨と靭帯、骨と関節包、関節包と靭帯の連携した動きについて理解しやすいという効果がある。
本発明８によれば、伸縮性面ファスナーフック部は、伸縮性ベースの伸縮性面ファスナーフック部からなり、該伸縮性ベースは、伸縮性を有する弾性シートであり、伸縮性面ファスナーフック部の伸び率が最大１０％であることにより筋を極度に動かした時に端部にある伸縮性面ファスナーフック部が取れるときに音が鳴りそれが警告音になるという効果がある。
本発明９の人体模型の、脱着手段は、伸縮性ベースを基材とし、伸縮性を有する弾性シートにフック部を設ける事により、弾性シートが伸びることで一部のフック部が取れる事により、音が鳴り、それ以上動かすと取れてしまう事が分かるという効果がある伸縮性面ファスナーフック部と、非伸縮性ベースを基材とし、非伸縮性を有するシートにループ部を設けた非伸縮性面ファスナーループ部の組み合わせと、非伸縮性ベースで非伸縮性を有するシートに非伸縮性面ファスナーフック部が付いているものと、非伸縮性ベースで非伸縮性を有するシートにループ部が付いているものと組み合わせで、非伸縮性ベースが動きを押さえる事でそれ以上動かせない事が分かるという効果がある。
本発明１０の人体模型は、前記発明２〜８の人体模型において、伸縮性面ファスナーのフック部が腱の一方端部から矢尻形フック部、キノコ形フック部、カギ状フック部の順に付けられており、他方の端部から矢尻形フック部、キノコ形フック部、カギ状フック部であって、非伸縮性面ファスナーループ部は骨に非伸縮性面ファスナーループ部が取付けられていることにより、端部に行くにつれ外れにくく、本来の人体でその動くをすることで腱を損傷してしまうことがわかるという効果がある。
本発明１１の人体模型の、脱着手段が関節包に設けられた非伸縮性面ファスナーであって、骨には非伸縮性面ファスナーの非伸縮性面ファスナーループ部が、骨に付く関節包は、非伸縮性面ファスナーからなることにより、骨が本来の人体と同じような動きになるという効果がある。
本発明１２の人体模型の、脱着手段が靭帯に設けられた非伸縮性面ファスナーであって、骨には非伸縮性面ファスナーの非伸縮性面ファスナーループ部が取付けられている事で骨にはホコリが付かずに買い換える事が少なくなる、骨に付く靭帯は、非伸縮性面ファスナーからなることで骨の稼働域の制限するという効果がある。
本発明１３の人体模型の、脱着手段が骨、関節包、靭帯に設けられた非伸縮性面ファスナーと、骨に設けられた、非伸縮性面ファスナーの組み合わせであって、面ファスナーは、フック部とループ部からなることにより何度も付け外しができるという効果がある。
本発明１４の人体模型は、面ファスナー矢尻形フック部の使用面、面ファスナーキノコ形フック部の使用面、面ファスナーカギ状フック部の使用面の使用面積比率はそれぞれは、面ファスナー矢尻形フック部の使用面が４０〜６０％、面ファスナーキノコ形フック部の使用面は２０〜４０％、面ファスナーカギ状フック部の使用面は１０〜３０％とする事で内側が弱い面ファスナーで取れやすく、取れたことが音で分かる、端部に行くにつれて強い面ファスナーになって行き、取れずらいという効果がある。
本発明１５の人体模型は、ファスナー付パーツで骨と腱の組み合わせ例で、骨と腱を付ける場合、骨には、ループ部が、付いており、腱には、伸縮性面ファスナーフック部が端部に付いていることにより仕組みがわかるという効果がある。
本発明１６の人体模型は、面ファスナー付パーツで骨と靭帯の組み合わせ例で、骨と靭帯を付ける場合、骨には、ループ部が、付いており、靭帯には、非伸縮性面ファスナーフック部が端部に付いている、それにより付ける位置が分かりやすいという効果がある。
本発明１７の人体模型は、面ファスナー付パーツで骨と関節包の組み合わせ例で、骨と関節包を付ける場合、骨には、ループ部が、付いており、関節包には、非伸縮性面ファスナーフック部が端部に付いている、それにより付ける位置が分かりやすいという効果がある。
本発明１８の人体模型は、面ファスナー付パーツで靭帯と腱の組み合わせ例で、靭帯と腱を付ける場合、骨に付いていない外側の靭帯にループ部が、付いており、腱には、伸縮性面ファスナーフック部が端部に付いている、それにより付ける位置が分かりやすいという効果がある。
本発明１９の人体模型は、面ファスナー付パーツで関節包と靭帯の組み合わせ例で、関節包と靭帯を付ける場合、骨に付いていない外側の関節包にループ部が、付いており、靭帯には、非伸縮性面ファスナーフック部が端部に付いている、それにより付ける位置が分かりやすいという効果がある。
【図面の簡単な説明】
【００２９】
【図１】図１は各パーツを取付けた人体模型の図である。
【図２】図２は全身の骨の図である。
【図３】図３は肘関節の図である。（ａ）右肘前面伸展時の図である。（ｂ）右肘内側面屈曲時の図である。
【図４】図４は上腕二頭筋の図である。（ａ）肘関節伸展時の図である。（ｂ）肘関節屈曲時の図である。
【図５】図５は、上肢の一部の骨と、肘関節周辺の靭帯と関節包、肘屈曲の一部の筋の構成の図である。
【図６】図６は、骨と腱に面ファスナーが設けられている一部を拡大し状態を示す図である。（ａ）肘関節屈曲時の図である。（ｂ）Ａ部の骨と腱に面ファスナーが設けられ張付いている状態を拡大した状態を示す図である。
【図７】図７は、骨と腱に面ファスナーが設けられている一部を拡大し状態を示す図である。（ａ）肘関節周辺の分解の図である。（ｂ）Ｂ部の骨と腱に面ファスナーが設けられ外れた状態の拡大した状態を示す図である。（ｃ）Ｃ部の腱の端部の拡大した図である。
【図８】図８は、伸縮性面ファスナーフック部と非縮性面ファスナーループ部と非縮性面ファスナーフック部の一部を拡大し状態を示す図である。（ａ）伸縮性面ファスナーフック部の図である。（ｂ）非縮性面ファスナーループ部の図である。（ｃ）非縮性面ファスナーフック部の図である。（ｄ）伸縮性面ファスナーの断面図である。（ｅ）非伸縮性面ファスナーの断面図である。
【図９】図９は、面ファスナー付パーツ組み合わせの図である。（ａ）面ファスナー付パーツで骨と腱の組み合わせ例を示す（Ｍ１の例）図である。（ｂ）面ファスナー付パーツで骨と靭帯の組み合わせ例を示す（Ｍ２の例）図である。（ｃ）面ファスナー付パーツで骨と関節包の組み合わせ例を示す（Ｍ３の例）図である。（ｄ）面ファスナー付パーツで靭帯と腱の組み合わせ例を示す（Ｍ４の例）図である。（ｅ）面ファスナー付パーツで関節包と靭帯の組み合わせ例を示す（Ｍ５の例）図である。（ｆ）橈骨と尺骨の間に設けられている前腕骨間膜の図である。
【図１０】図１０は、関節包の拡大図（Ｍ３の例）である。（ａ）関節包の斜視図を示す。（ｂ）関節包の開時の図を示す。（ｃ）関節包の閉時の図を示す。
【図１１】図１１は、靭帯の拡大図である。（ａ）面ファスナーフック部が三種類ついた図である。（ｂ）面ファスナーフック部が二種類ついた図である。（ｃ）面ファスナーフック部が一種類ついた図である。
【図１２】図１２は、骨と骨を鋼線で稼働する様に固定した図を示す。
【発明を実施するための形態】
【００３０】
本発明の実施形態につき、図面にしたがって詳しく説明する。
【００３１】
本発明の請求項１にしたがって詳しく説明する。
本発明を人体に適用した場合であるが、猫、犬など各種の動物の模型に適用してよい。
【００３２】
本発明の請求項１にしたがって詳しく説明する。
本発明は、取外し可能な動物模型であって、骨１２０とパーツＰを備え、前記骨１２０とパーツＰが取付け取外しが可能となる脱着手段を備えている。
また、以下に記載のパーツＰとは、筋２００、腱４０５、関節包３０１、靭帯３１０の事を言う。
前記動物模型が人体の模型であり、前記パーツＰには筋２００、腱４０５、関節包３０１、靭帯３１０の少なくとも一つが含まれている。
前記骨１２０の固定手段４０７は、磁石Ｊ、鋼線Ｋなどで取付けている。
前記人体模型１００は、筋２００が伸縮性素材からなっている。
前記脱着手段４０６が腱４０５に設けられた伸縮性面ファスナー４１０であって、該面ファスナーはフック部Ｆとループ部Ｒからなり、伸縮性を有する弾性シートであり、該面ファスナーの伸び率が最大１０％であり、前記伸縮性面ファスナー４１０のフック部Ｆが腱４０５の一方端部から矢尻形フック部４０２、キノコ形フック部４０３、カギ状フック部４０４の順に付けられており、他方の端部から矢尻形フック部４０２、キノコ形フック部４０３、カギ状フック部４０４であって、ループ部Ｒは骨１２０に取付けられている。
前記脱着手段４０６が骨１２０、関節包３０１、靭帯３１０に設けられた非伸縮性面ファスナー４２０であって、該面ファスナーは、フック部Ｆとループ部Ｒからなっている。
【００３３】
本発明の請求項２にしたがって詳しく説明する。
以下、本発明を人体模型に適応した場合とした場合を例として説明する。
本発明の請求項２について図１〜図５にしたがって詳しく説明する。
図１は、筋２００を付けた全身の図の説明である。
人体模型１００に使う骨模型の骨１２０の名称の一部、頭蓋骨１０１、 手１０２、足１０３、頸椎１０４、腰椎１０５、尾骨１０６、胸骨１０７、肋骨１０８、肩甲骨１０９、鎖骨１１０、上腕骨１１１、橈骨１１２、尺骨１１３、骨盤１１４、仙骨１１５、大腿骨１１６、膝蓋骨１１７、脛骨１１８、腓骨１１９である、しかしこれらに限定されるものではない。
【００３４】
本発明の請求項２について図２にしたがって詳しく説明する。
図２は全身の骨の図の説明である。
人体模型１００の骨１２０に貼り付ける筋２００の名称の一部、前頭筋２０１、眼輪筋２０２、口輪筋２０３、胸鎖乳突筋２０４、三角筋２０５、大胸筋２０６、腹直筋２０７、外腹斜筋２０８、上腕二頭筋２０９、回外筋２１０、大腿直筋２１１、外側広筋２１２、内側広筋２１３、縫工筋２１４、前脛骨筋２１５、腓腹筋２１６、ヒラメ筋２１７である、しかしこれらに限定されるものではない。
【００３５】
本発明の請求項２について図３にしたがって詳しく説明する。
図３は（ａ）右肘前面の図（ｂ）右肘内側面の図の説明である。
人体模型１００の肘関節の名称の一部、関節包３０１、外側側副靭帯３０２、内側側副靭帯３０３（前斜走線維３０５、後斜走線維３０６、横走線維３０７）、橈骨輪状靭帯３０４である、しかしこれらに限定されるものではない。
【００３６】
本発明の請求項２について図４にしたがって詳しく説明する。
図４は（ａ）肘関節伸展時の図（ｂ）肘関節屈曲時の図である。
人体模型１００の肘関節屈曲伸展の名称の一部である
上腕骨１１１、橈骨１１２、尺骨１１３、上腕二頭筋２０９である、しかしこれらに限定されるものではない。
【００３７】
本発明の請求項２にしたがって詳しく説明する。
三角筋２０５は、鎖骨１１０の外側１／３の前縁と、肩甲骨１０９にある肩峰と肩甲棘下縁と棘上窩が起始で、上腕骨の三角筋粗面に停止する。
大胸筋２０６は、鎖骨１１０内側１／２と、胸骨１０７と第１〜７肋軟骨と外腹斜筋の腱膜が起始で、上腕骨１１１の大結節稜に停止する。
腹直筋２０７は、骨盤１１４にある恥骨結節と、恥骨結合が起始で、胸骨１０７にある剣状突起と第５〜７肋軟骨に停止する。
外腹斜筋２０８は、第５〜１２肋骨１０８外面が起始で、骨盤１１４にある腸骨外唇と鼡径靭帯と腹直筋鞘前葉に停止する。
上腕二頭筋２０９は、長頭が肩甲骨１０９の関節上結節で、短頭が肩甲骨１０９の烏口突起が起始で、橈骨１１２の橈骨粗面と前腕骨間膜３０８に停止する。
回外筋２１０は、上腕骨１１１の外側上顆と尺骨１１３の回外筋稜が起始で、橈骨１１２の上部外側面に停止する。
【００３８】
本発明の請求項２にしたがって詳しく説明する。
大腿直筋２１１は、腸骨の下前腸骨棘と寛骨臼の上縁が起始で、膝蓋骨１１７、脛骨１１８の脛骨粗面に停止する。
外側広筋２１２は、大腿骨１１６の大転子基部と粗線内側唇が起始で、脛骨１１８の脛骨粗面に停止する。
内側広筋２１３は、大腿骨１１６の粗線内側唇が起始で、脛骨１１８の脛骨粗面に停止する。
縫工筋２１４は、骨盤１１４にある腸骨の上前腸骨棘が起始で、脛骨１１８の内側面の上部に停止する。
【００３９】
本発明の請求項２について図１〜図９にしたがって詳しく説明する。
図１〜図９にもとづき、骨１２０の構成について説明する。
上腕骨１１１、橈骨１１２、尺骨１１３、などの骨１２０はプラスチック樹脂などで作り表面全面を取付け部材４００の受け側である非伸縮性面ファスナーループ部４２０で覆い、骨１２０と骨１２０の関節には、非伸縮性面ファスナーループ部４２０を付けずにおく。
しかし例外があるため、この限りではない。
【００４０】
本発明の請求項３にしたがって詳しく説明する。
パーツＰとは、筋２００、腱４０５、関節包３０１、靭帯３１０それぞれの事をいう。
【００４１】
本発明の請求項３にしたがって詳しく説明する。
前斜走線維３０５、後斜走線維３０６、横走線維３０７、この３線維を合わせて、肘の内側側副靭帯３０３という。
【００４２】
本発明の請求項３について図５にしたがって詳しく説明する。
図５は、上肢の一部の骨１２０と、肘関節周辺の靭帯３１０と肘屈曲の一部の筋２００での構成の図である。
肩甲骨１０９、鎖骨１１０、上腕骨１１１、橈骨１１２、尺骨１１３、上腕二頭筋２０９、関節包３０１、外側側副靭帯３０２、内側側副靭帯３０３、橈骨輪状靭帯３０４、前斜走線維３０５、後斜走線維３０６、横走線維３０７、前腕骨間膜３０８、前腕骨間膜の斜索３０９である、しかしこれらに限定されるものではない。
【００４３】
本発明の請求項３について図９にしたがって詳しく説明する。
図９にしたがって説明する。（ｆ）橈骨と尺骨の間に設けられている前腕骨間膜の図である。
橈骨１１２と尺骨１１３の間に設けられた前腕骨間膜３０８の図の説明図である。
橈骨１１２と尺骨１１３の間に前腕骨間膜３０８が付いている。
【００４４】
本発明の請求項３について図３〜図５にしたがって詳しく説明する。
図３〜図５にもとづき実施例の一例を説明する。
実施例１の図３は肘関節の説明図である。（ａ）右肘前面伸展時の図である。（ｂ）右肘内側面屈曲時の図である。図４は、上腕二頭筋２０９の説明図である。（ａ）肘関節伸展時の図である。（ｂ）肘関節屈曲時の図である。図５は、上肢の一部の骨１２０と、肘関節周辺の靭帯と関節包３０１、肘屈曲の一部の筋２００の構成の図である。
【００４５】
本発明の請求項４について詳しく説明する。
骨１２０と骨１２０とを離れないようにするための物は、取付け部材４００で、磁石Ｊ、鋼線Ｋなどで取付ける。前記磁石Ｊ、鋼線Ｋは図示しないが磁石Ｊは、骨１２０の中に埋め込み型と、シート状の物で、骨１２０が稼動する表面部分に直接付け、骨１２０の遠位と近位は、遠位がＳ極なら近位はＮ極又は、遠位がＮ極なら近位はＳ極又は、遠位が磁石Ｊなら近位は磁力に引付けられるもの又は、遠位が磁力に引付けられるものなら近位は磁石Ｊで、どれか一つで統一し、骨１２０を作る。
磁力により、骨１２０と骨１２０が直接接しているが、スムーズに動き、重さで取れない強さの磁石Ｊで付ける。
【００４６】
本発明の請求項４について詳しく説明する。
鋼線Ｋの素材は、鉄、ステンレス、鋼、アルミ、形状記憶合金などの金属で、太さは１〜３ｍｍの鋼線Ｋで、骨１２０の遠位と近位を鋼線Ｋで固定しかし、稼動はするが、離開せず、形が変わらない強度で作り、骨１２０と骨１２０との間を１〜１０ｍｍ程度開け稼動時に支障なく、動かなくてはならない。
付け方としては、上腕骨１１１、橈骨１１２、尺骨１１３を一例とし、上腕骨１１１遠位の関節包３０１内の側方から穴を開け、上腕骨１１１の遠位と橈骨１１２、尺骨１１３近位を１〜５ｍｍ開け、橈骨１１２、尺骨１１３近位、関節包３０１内の側方から穴を開け、鋼線Ｋをコの字型にして片側から通し端を曲げ抜けないように固定し、関節包３０１で隠すようにする。
骨１２０を固定手段４０７、磁石Ｊ又は、鋼線Ｋで付けているため、単独で形を保ち、稼動することができる。
しかし、これに限られるものではない。
【００４７】
本発明の請求項４について図６にしたがって詳しく説明する。
図６にもとずいて、脱着手段について詳しく説明する。
ループ部Ｒは骨１２０のほぼ全面に付いているが、関節包３０１内に入る部分には、ループ部Ｒは付いていない。それは関節部を磁石Ｊで付ける場合、引っかかりを無くスムーズに動かすためであり、実際の関節も一部例外で靭帯３１０や血管が付いている場合があるが、ほとんどの場合関節はツルツルであるためである。
【００４８】
本発明の請求項４について図１２にしたがって詳しく説明する。
図１２にもとづき、骨１２０と骨１２０を鋼線Ｋで稼働する様に固定した図の構成について説明する。
脛骨１１８と腓骨１１９の近位と遠位の部分に鋼線Ｋを通し、鋼線Ｋの端部を曲げ外れないようにしている。
【００４９】
本発明の請求項５について図６にしたがって詳しく説明する。
図６は、骨と腱に面ファスナーが設けられている一部を拡大し状態を示す模式図である。（ａ）肘関節屈曲時の説明図である。（ｂ）骨と腱に面ファスナーが設けられている拡大した状態を示す模式図である。
脱着手段４０６は、骨１２０に取付け部材４００であるループ部Ｒに取付けられ、腱４０５には端部から取付け部材４００である矢尻形フック部４０２、取付け部材４００であるキノコ形フック部４０３、取付け部材４００であるカギ状フック部４０４の順になっている。
【００５０】
本発明の請求項５にしたがって詳しく説明する。
筋２００は、伸縮しなくてはならない、そのため素材としては、ゴム素材を主体として形は、筋２００各所により異なるうえ、腱の長さ大きさも違う。
前頭筋２０１は、帽状腱膜が起始で、前頭部の皮膚に停止する。
眼輪筋２０２は、前頭骨、眼窩上縁及び上顎骨、眼窩下縁、内側眼瞼靭帯、涙骨、後涙嚢稜が起始で、輪状に眼周囲を囲み、眼瞼縫線、眼瞼部に合流するのが停止する。
口輪筋２０３は、頭蓋骨１０１にある上顎骨と下顎骨と周囲の表情筋線維束が起始で、輪状に口の周りを囲み粘膜に停止する。
胸鎖乳突筋２０４は、胸骨１０７にある胸骨柄と、鎖骨１１０にある胸骨端が起始で、頭蓋骨１０１にある側頭骨にある乳様突起が停止で、起始である胸骨１０７と鎖骨１１０の一部から筋２００が伸び途中で一つになり、停止である頭蓋骨１０１にある側橈骨に付く。
【００５１】
本発明の請求項６について図７にしたがって詳しく説明する。
図７にもとずいて、脱着手段について詳しく説明する。
図７は、骨と腱に面ファスナーが設けられている一部を拡大し状態を示す模式図である。（ａ）肘関節周辺の分解の説明図である。（ｂ）Ｂ部の骨と腱に面ファスナーが設けられ外れた状態の拡大した状態を示す模式図である。（ｃ）Ｃ部の腱の端部の拡大した模式図である。
（ａ）肘関節周辺の分解の説明図では、肩甲骨１０９、上腕骨１１１、橈骨１１２、尺骨１１３、上腕二頭筋２０９それぞれを離した状態である。
（ｂ）Ｂ部の骨と腱に面ファスナーが設けられ外れた状態の拡大した状態を示す模式図では、橈骨１１２近位部にループ部Ｒが取付けられている状態の図と、上腕二頭筋２０９の遠位端の腱４０５に腱の端部から、取付け部材４００である矢尻形フック部４０２とキノコ形フック部４０３とカギ状フック部４０４である。
その腱４０５がループ部Ｒから離れた状態である。
（ｃ）Ｃ部の腱の端部の拡大した模式図では、腱の端部から面ファスナー矢尻形フック部の使用面４３２の仕様面積比率は４０〜６０％で、面ファスナーキノコ形フック部の使用面４３３の仕様面積比率が２０〜４０％で、面ファスナーカギ状フック部の使用面４３４は仕様面積比率が１０〜３０％である事を説明する図である。
【００５２】
本発明の請求項７について図１〜図９にしたがって詳しく説明する。
図１〜図９にもとづき、骨１２０と筋２００と関節包３０１と靭帯３１０の構成について説明する。
上腕骨１１１、橈骨１１２、尺骨１１３、などの骨１２０はプラスチック樹脂などで作り表面全面を取付け部材４００の受け側である非伸縮性面ファスナーループ部４２０で覆い、骨１２０と骨１２０の関節には、非伸縮性面ファスナーループ部４２０を付けずにおく。
筋２００は、中央部は伸縮するもので作り、筋腱移行部である腱４０５から骨１２０に取付ける腱４０５側には、取付け部材４００である、伸縮性面ファスナーフック部４１０で作る。関節包３０１で関節を覆い、その際、関節包３０１の一部が切れており、関節を覆い、切れている部分にある、非伸縮性面ファスナーループ部４２０と非伸縮性面ファスナーループ部４２０を重ね合い、関節包３０１が骨１２０に付く部分である端部に取付け部材４００である伸縮性面ファスナーフック部４１０を付け、関節を覆う。
外側側副靭帯３０２、橈骨輪状靭帯３０４、前斜走線維３０５、後斜走線維３０６、横走線維３０７、内側側副靭帯３０３、前腕骨間膜３０８、前腕骨間膜の斜索３０９で、取付け部材４００は非伸縮性面ファスナーフック部４３０で関節部に付ける。
【００５３】
本発明の請求項７にしたがって詳しく説明する。
人体模型１００の骨１２０に靭帯３１０と関節包３０１を付け固定、固定手段４０７は、この場合、非伸縮性面ファスナー４２０で素材はナイロンを使い、骨１２０は、非伸縮性面ファスナーループ部のため、非伸縮性面ファスナー４２０は面ファスナーのフック部Ｆを使い制動させるもの。
【００５４】
本発明の請求項８と請求項９にしたがって詳しく説明する。
伸縮性面ファスナー４１０は、伸縮性ベースＢ２で伸縮性を有する弾性シートに伸縮性面ファスナーフック部４１０が付いている物と、非伸縮性ベースＢ１で非伸縮性を有するシートにループ部Ｒが付いている、非伸縮性面ファスナー４２０非伸縮性ベースＢ１で非伸縮性を有するシートに伸縮性面ファスナーフック部４１０が付いている物と、非伸縮性ベースＢ１で非伸縮性を有するシートに非伸縮性面ファスナーループ部４２０が付いている。
【００５５】
本発明の請求項８にしたがって詳しく説明する。
伸縮性面ファスナーフック部４１０とはベースが伸び物であって、フックは伸びない組み合わせの物を言う。
非伸縮性面ファスナーループ部４２０とはベースが伸びない物であって、ループ部Ｒも伸びない組み合わせの物を言う。
非伸縮性面ファスナーフック部４３０とはベースが伸びない物であって、フックは伸びない組み合わせの物を言う。
【００５６】
本発明の請求項９にしたがって詳しく説明する。
骨１２０にループ部Ｒが付くことにより、腱４０５が伸縮性ベースＢ２であり、そこにフック部Ｆを付けることで、伸縮性面ファスナーフック部４１０になり、それを端部に付けることにより、多少の伸びが有ることで、動かしても取れづらく、取れるような強引に動かせば、筋２００を損傷させてしまったり、痛めてしまう可能性を勉強でき、関節包３０１は、関節包３０１の骨１２０側の端部に非伸縮性ベースＢ１である非伸縮性面ファスナーフック部４３０が付いており、関節包３０１で骨１２０と骨１２０を離れないようにするためのもので、靭帯３１０は、靭帯３１０の骨１２０側や関節包３０１に付く端部に非伸縮性ベースＢ１である非伸縮性面ファスナーフック部４３０が付いており、稼働域制限をするためのものであり、一つ一つの靭帯の稼働域を勉強するために必要で、靭帯３１０の稼働域制限をするため伸びてはこまる。
【００５７】
本発明の請求項１０にしたがって詳しく説明する。
腱４０５に付く面ファスナーは、腱４０５の端部に、面ファスナーのフック部Ｆを取付けられている。
伸縮性面ファスナー４１０は、腱４０５の端部にあり、伸縮性面ファスナー４１０は、腱４０５に付いている矢尻形フック部４０２、キノコ形フック部４０３、カギ状フック部４０４である。
【００５８】
本発明の請求項１０と請求項１３にしたがって詳しく説明する。
矢尻形フック部４０２は、面ファスナーのフック部Ｆの中で、模型としての貼り付け強度が一番強く張り付け強度が必要なため、面ファスナーフック部の最端部に位置し、腱の面ファスナーのフック部Ｆの全体の面積を１００とすると４０〜６０が矢尻形フック部４０２とし、伸びて離れた場合、腱が取れてしまうため、実際の人間に同じ動作をしてはいけないという事が分かる。
キノコ形フック部４０３は、面ファスナーのフック部Ｆの中で、模型としての貼り付け強度が二番目に強く張り付け強度が必要なため、面ファスナーフック部の最端部に位置し、腱の面ファスナーのフック部Ｆの全体の面積を１００とすると２０〜４０がキノコ形フック部４０３とし、伸びて離れたとしても、矢尻形フック部４０２で押さえてくれる。
カギ状フック部４０４は、面ファスナーのフック部Ｆの中で、模型としての貼り付け強度が比較的張り付け強度が必要なとしないため、面ファスナーフック部の内側部に位置し、腱の面ファスナーのフック部Ｆの全体の面積を１００とすると１０〜３０がカギ状フック部４０４とし、伸びて離れたとしても、キノコ形フック部４０３で押さえてくれる。
【００５９】
本発明の請求項１０と請求項１３にしたがって詳しく説明する。
端部から、矢尻形フック部４０２、キノコ形フック部、４０３カギ状フック部４０４になっていて、端部の方が密度は高く、中央部に向かうにつれて密度が少なくなる。
面ファスナーのフック部Ｆの大きさと範囲は、腱４０５の付着部により腱４０５の大きさ形が異なるため、面ファスナーもそれにより異なる。
【００６０】
本発明の請求項１０について図１０にしたがって詳しく説明する。
図１１にもとづき、靭帯の拡大図である。（ａ）面ファスナーフック部が三種類ついた図である。（ｂ）面ファスナーフック部が二種類ついた図である。（ｃ）面ファスナーフック部が一種類ついた図の構成について説明する。
（ａ）面ファスナーフック部が三種類ついた図である。
腱４０５、靭帯３１０、関節包３０１にある非伸縮性面ファスナーフック部４３０又は、伸縮性面ファスナーフック部４１０は三種類付き、端部から矢尻形フック部４０２、キノコ形フック部４０３、カギ状フック部４０４が付いている。
（ｂ）面ファスナーフック部が二種類ついた図である。
腱４０５、靭帯３１０、関節包３０１にある非伸縮性面ファスナーフック部４３０又は、伸縮性面ファスナーフック部４１０は二種類付き、端部から矢尻形フック部４０２、キノコ形フック部４０３が付いている。
（ｃ）面ファスナーフック部が一種類ついた図の構成について説明する。
腱４０５、靭帯３１０、関節包３０１にある非伸縮性面ファスナーフック部４３０又は、伸縮性面ファスナーフック部４１０は一種類付き、端部から矢尻形フック部４０２が付いている。
【００６１】
本発明の請求項１４にしたがって詳しく説明する。
脱着手段４０６は、骨１２０に取付け部材４００であるループ部Ｒが取付けられ、腱４０５には端部から取付け部材４００である矢尻形フック部４０２、取付け部材４００であるキノコ形フック部４０３、取付け部材４００であるカギ状フック部４０４が取付けられ、ループ部Ｒに矢尻形フック部４０２とキノコ形フック部４０３とカギ状フック部４０４が離れた状態で、腱の端部から面ファスナー矢尻形フック部の使用面４３２の使用面積比率は４０〜６０％で、面ファスナーキノコ形フック部の使用面４３３の使用面積比率が２０〜４０％で、面ファスナーカギ状フック部の使用面４３４は使用面積比率が１０〜３０％である状態を説明している。
【００６２】
本発明の請求項１５について図７にしたがって詳しく説明する。
図７は、骨と腱に面ファスナーが設けられている一部を拡大し状態を示す模式図である。（ａ）肘関節周辺の分解の説明図である。（ｂ）Ｂ部の骨と腱に面ファスナーが設けられ外れた状態の拡大した状態を示す模式図である。（ｃ）Ｃ部の腱の端部の拡大した模式図である。
【００６３】
本発明の請求項１５について図８にしたがって詳しく説明する。
図８は、伸縮性面ファスナーフック部と非縮性面ファスナーループ部と非縮性面ファスナーフック部の一部を拡大し状態を示すの模式図である。（ａ）伸縮性面ファスナーフック部の模式図である。（ｂ）非縮性面ファスナーループ部の模式図である。（ｃ）非縮性面ファスナーフック部の模式図である。（ｄ）伸縮性面ファスナーの断面図である。（ｅ）非伸縮性面ファスナーの断面図である。
【００６４】
本発明の請求項１５にしたがって詳しく説明する。
前脛骨筋２１５は、脛骨１１８外側面と下腿骨間膜が起始で、内側楔状骨と第１中足骨底に停止する。
腓腹筋２１６は、大腿骨１１６外側上顆と内側上顆が起始で、停止がアキレス腱となり踵骨の踵骨隆起に停止する。
ヒラメ筋２１７は、脛骨１１８のヒラメ筋線から出た筋２００と、腓骨１１９の骨幹上部から出た筋２００が起始で、二つが一つになり、筋２００腹を形成し、停止は、アキレス腱となり踵骨の踵骨隆起に停止する。
【００６５】
本発明の請求項１５にしたがって詳しく説明する。
筋２００と腱４０５は、筋２００の端部に腱４０５があり、骨１２０に腱４０５が付く。
【００６６】
本発明の請求項１５について図９にしたがって詳しく説明する。
図９にしたがって、面ファスナー付パーツＭの骨１２０と腱４０５の組み合わせＭ１の説明図である。
骨１２０と腱４０５を付ける場合、骨１２０には、非伸縮性面ファスナーループ部４２０が、付いており、腱４０５には、伸縮性面ファスナーフック部４１０が端部に付いている。
【００６７】
本発明の請求項１５について図１〜図９にしたがって詳しく説明する。
図１〜図９にもとづき、骨１２０と筋２００の構成について説明する。
上腕骨１１１、橈骨１１２、尺骨１１３、などの骨１２０はプラスチック樹脂などで作り表面全面を取付け部材４００の受け側である非伸縮性面ファスナーループ部４２０で覆い、骨１２０と骨１２０の関節には、非伸縮性面ファスナーループ部４２０を付けずにおく。
筋２００は、中央部は伸縮するもので作り、筋腱移行部である腱４０５から骨１２０に取付ける腱４０５側には、取付け部材４００である、伸縮性面ファスナーフック部４１０で作る。
【００６８】
本発明の請求項１６と請求項１２について図９にしたがって詳しく説明する。
図９にしたがって、面ファスナー付パーツＭの骨１２０と靭帯３１０の組み合わせＭ２の説明図である。
骨１２０と靭帯３１０を付ける場合、骨１２０には、非伸縮性面ファスナーループ部４２０が、付いており、靭帯３１０には、非伸縮性面ファスナーフック部４３０が端部に付いている。
【００６９】
本発明の請求項１７と請求項１１について図９にしたがって詳しく説明する。
図９にしたがって、面ファスナー付パーツＭの骨１２０と関節包３０１の組み合わせＭ３の説明図である。
骨１２０と関節包３０１を付ける場合、骨１２０には、非伸縮性面ファスナーループ部４２０が、付いており、関節包３０１には、非伸縮性面ファスナーフック部４３０が端部に付いている。
【００７０】
本発明の請求項１７について図１０にしたがって詳しく説明する。
図１０にもとづき、関節包３０１の拡大図（Ｍ３の例）である。（ａ）関節包３０１の斜視図を示す。（ｂ）関節包３０１の開時の図を示す。（ｃ）関節包３０１の閉時の図の構成について説明する。
（ａ）は、関節包３０１の斜視図の構成について説明する。
関節包３０１に非伸縮性面ファスナーループ部４２０と非伸縮性面ファスナーフック部４３０が付いている図で、関節包３０１の端部の内側には骨１２０に付くための非伸縮性面ファスナーフック部４３０があり、関節包３０１と関節包３０１を付けるため重なる部分の外側には非伸縮性面ファスナーループ部４２０で内側には非伸縮性面ファスナーフック部４３０が付いている。
（ｂ）は、関節包３０１の開時の図の構成について説明する。
関節包３０１の端部の内面には骨１２０に付くための非伸縮性面ファスナーフック部４３０があり、関節包３０１と関節包３０１を付けるため重なる部分の外側には非伸縮性面ファスナーループ部４２０で内側には非伸縮性面ファスナーフック部４３０が付いている。
（ｃ）は関節包３０１の閉時の図の構成について説明する。
関節包３０１の端部の内面には骨１２０に付くための非伸縮性面ファスナーフック部４３０があり、関節包３０１と関節包３０１を付けるため重なる部分の外側には非伸縮性面ファスナーループ部４２０で内側には非伸縮性面ファスナーフック部４３０が付いているが、閉時のため非伸縮性面ファスナーループ部４２０と非伸縮性面ファスナーフック部４３０が重なっている状態である。
【００７１】
本発明の請求項１７について図１〜図９にしたがって詳しく説明する。
図１〜図９にもとづき、骨１２０と筋２００と関節包３０１の構成について説明する。
上腕骨１１１、橈骨１１２、尺骨１１３、などの骨１２０はプラスチック樹脂などで作り表面全面を取付け部材４００の受け側である非伸縮性面ファスナーループ部４２０で覆い、骨１２０と骨１２０の関節には、非伸縮性面ファスナーループ部４２０を付けずにおく。
筋２００は、中央部は伸縮するもので作り、筋腱移行部である腱４０５から骨１２０に取付ける腱４０５側には、取付け部材４００である、伸縮性面ファスナーフック部４１０で作る。関節包３０１で関節を覆い、その際、関節包３０１の一部が切れており、関節を覆い、切れている部分にある、非伸縮性面ファスナーループ部４２０と非伸縮性面ファスナーループ部４２０を重ね合い、関節包３０１が骨１２０に付く部分である端部に取付け部材４００である伸縮性面ファスナーフック部４１０を付け、関節を覆う。
【００７２】
本発明の請求項１８について図９にしたがって詳しく説明する。
図９にしたがって、面ファスナー付パーツＭの靭帯３１０と腱４０５の組み合わせＭ４の説明図である。
靭帯３１０と腱４０５を付ける場合、骨１２０に付いていない外側の靭帯３１０に非伸縮性面ファスナーループ部４２０が、付いており、腱４０５には、伸縮性面ファスナーフック部４１０が端部に付いている。
【００７３】
本発明の請求項１８にしたがって詳しく説明する。
腱４０５が靭帯３１０に付く場合は、腱４０５側の張り付く部分は、は非伸縮性面ファスナーループ部４２０が付いており、腱４０５側は、伸縮性面ファスナー４１０である。
【００７４】
本発明の請求項１９にしたがって詳しく説明する。
取付け部材４００、靭帯３１０と関節包３０１は、非伸縮性面ファスナーループ部４２０で取付けられ、靭帯３１０と関節包３０１も非伸縮性であり、靭帯３１０と関節包３０１側は、カギ状フック部４０４でとりつけられる。
【００７５】
本発明の請求項１９にしたがって詳しく説明する。
靭帯３１０が関節包３０１に付く場合は、関節包３０１側の張り付く部分は、は非伸縮性面ファスナーループ部４２０が付いており、靭帯３１０側は、非伸縮性面ファスナー４２０である。
【００７６】
本発明の請求項１９について図９にしたがって詳しく説明する。
図９にしたがって説明する、（ｅ）面ファスナー付パーツで関節包と靭帯の組み合わせ例を示す。（Ｍ５の例）。
面ファスナー付パーツＭの関節包３０１と靭帯３１０の組み合わせＭ５の説明図である。
関節包３０１と靭帯３１０を付ける場合、骨１２０に付いていない外側の関節包３０１にループ部Ｒが、付いており、靭帯３１０には、非伸縮性面ファスナーフック部４３０が端部に付いている。
【産業上の利用可能性】
【００７７】
筋の起始停止と靭帯の場所を勉強するとき、模型と本を見て憶えなければならなかったが、本発明は、全身の靭帯と関節包、筋を付けたりはずしたりできることにより、分かりずらかった部分も、立体で見ることができるので大変わかりやすい。したがって産業上の利用の可能性が大きい。
【符号の説明】
【００７８】
１００    人体模型
１０１    頭蓋骨
１０２    手
１０３    足
１０４    頸椎
１０５    腰椎
１０６    尾骨
１０７    胸骨
１０８    肋骨
１０９    肩甲骨
１１０    鎖骨
１１１    上腕骨
１１２    橈骨
１１３    尺骨
１１４    骨盤
１１５    仙骨
１１６    大腿骨
１１７    膝蓋骨
１１８    脛骨
１１９    腓骨
１２０    骨
２００    筋
２０１    前頭筋
２０２    眼輪筋
２０３    口輪筋
２０４    胸鎖乳突筋
２０５    三角筋
２０６    大胸筋
２０７    腹直筋
２０８    外腹斜筋
２０９    上腕二頭筋
２１０    回外筋
２１１    大腿直筋
２１２    外側広筋
２１３    内側広筋
２１４    縫工筋
２１５    前脛骨筋
２１６    腓腹筋
２１７    ヒラメ筋
３０１    関節包
３０２    外側側副靭帯
３０３    内側側副靭帯
３０４    橈骨輪状靭帯
３０５    前斜走線維
３０６    後斜走線維
３０７    横走線維
３０８    前腕骨間膜
３０９    前腕骨間膜の斜索
３１０    靭帯
４００    取付け部材
４０２    矢尻形フック部
４０３    キノコ形フック部
４０４    カギ状フック部
４０５    腱
４０６    脱着手段
４０７    固定手段
４１０    伸縮性面ファスナーフック部
４２０    非伸縮性面ファスナーループ部
４３０    非伸縮性面ファスナーフック部
４３２    面ファスナー矢尻形フック部の使用面
４３３    面ファスナーキノコ形フック部の使用面
４３４    面ファスナーカギ状フック部の使用面
Ｂ１      非伸縮性ベース
Ｂ２      伸縮性ベース
Ｃ１      非伸縮性素材
Ｃ２      伸縮性素材
Ｆ        フック部
Ｊ        磁石
Ｋ        鋼線
Ｐ        パーツ
Ｒ        ループ部
Ｍ        面ファスナー付パーツ
Ｍ１      面ファスナー付パーツで骨と腱の組み合わせ例
Ｍ２      面ファスナー付パーツで骨と靭帯の組み合わせ例
Ｍ３      面ファスナー付パーツで骨と関節包の組み合わせ例
Ｍ４      面ファスナー付パーツで靭帯と腱の組み合わせ例
Ｍ５      面ファスナー付パーツで関節包と靭帯の組み合わせ例
【図１】
2016114881.tif 000003
【図２】
2016114881.tif 000004
【図３】
2016114881.tif 000005
【図４】
2016114881.tif 000006
【図５】
2016114881.tif 000007
【図６】
2016114881.tif 000008
【図７】
2016114881.tif 000009
【図８】
2016114881.tif 000010
【図９】
2016114881.tif 000011
【図１０】
2016114881.tif 000012
【図１１】
2016114881.tif 000013
【図１２】
2016114881.tif 000014